(57)【特許請求の範囲】
【請求項１】
機台の上面を横方向に走行する包装フィルム上に包装物を載置すると共に前記包装物の載置位置の側方に位置する前記包装フィルムの実質的に平坦な領域に前記包装物の付属物を付着し，前記付属物が付着された前記包装フィルムを前記横方向の走行中に前記包装物の周りに筒状に形成し，前記包装フィルムの両側縁部に縦シールを施すと共に前記包装物間で前記包装フィルムに横シールを施すことにより，前記付属物を前記包装フィルムの内側に付着し且つ包装体の内部の側面又は裏面に位置する状態で前記包装物を包装することから成る逆ピロー包装方法。
【請求項２】
前記付属物は，前記縦シールが施されて背貼りとなった縦シール部分が見える裏面側に位置することから成る請求項１に記載の逆ピロー包装方法。
【請求項３】
機台に回転自在に取り付けられ且つ前記機台の上面で包装フィルムを横方向に走行案内する案内ローラ，前記案内ローラの前記横方向の後流に配置されると共に前記包装フィルムの両側縁部を寄せ合わせることにより前記包装フィルム上に載置された包装物の周りに前記包装フィルムを筒状に形成する筒状フィルム成形手段，前記案内ローラの直上又は前記案内ローラと前記筒状フィルム成形手段との間において前記包装フィルム上に付属物を付着させる付属物付着手段，前記筒状フィルム成形手段の後流に配置されると共に筒状に形成された前記包装フィルムの前記両側縁部をシールする縦シール手段，及び前記縦シール手段の後流に配置されると共に前記包装物間で前記包装フィルムをシールする横シール手段を備え，
前記付属物付着手段は，前記包装フィルム上において，前記包装物の載置位置の側方に位置する実質的に平坦で且つ包装体とされたときにその内部の側面又は裏面に位置することになる領域に前記付属物を付着させること，
から成る逆ピロー包装機。
【請求項４】
前記付属物の表面には接着剤又は粘着剤によって形成された付着部分が設けられており，前記付属物付着手段は，前記付着部分が設けられた前記表面を下方に向けた状態で前記付属物を供給するシュートを備えるとともに前記付属物を前記案内ローラの直上の前記包装フィルム上に供給して前記付属物の前記付着部分を前記包装フィルムに付着させ，前記付属物付着手段は，更に，前記案内ローラとの間で前記付属物を前記包装フィルムに押し付ける押さえローラを有していることから成る請求項３に記載の逆ピロー包装機。
【請求項５】
前記案内ローラと前記筒状フィルム成形手段との間において，前記包装フィルムに載置された状態で搬送される前記包装物の側方には，前記案内ローラから前記筒状フィルム成形手段に向かって高さが高くなる傾斜面を備えていて前記包装フィルムの走行を案内するガイド板が配置され，前記包装フィルムの実質的に平坦な前記領域は前記ガイド板上を走行する前記包装フィルムに形成されることから成る請求項３又は４に記載の逆ピロー包装機。
【発明の詳細な説明】
【０００１】
【発明の属する技術分野】
この発明は，帯状の包装フィルムを筒状の包装フィルムに成形し，包装フィルム上に載置した包装物の周りをその包装フィルムで包み，シールを施して包装体を製作する逆ピロー包装方法及び逆ピロー包装機に関する。
【０００２】
【従来の技術】
従来，包装体の一つとして，本来包装すべき包装物に加えて，その包装物に関連する付属物が同じ袋に封入されるものがある。例えば，食品を包装した包装体においては，食品の鮮度を維持する鮮度維持剤を包装体の内部に封入している。鮮度保持剤の一例として，袋内部の空気に含まれる酸素を吸収して包装袋内部に無酸素状態を作りだして食品の酸化による品質悪化の防止を図る脱酸素剤がある。また，脱酸素剤以外にも，鮮度維持剤として，例えば，湿分を吸収する吸湿剤，臭いを吸着する脱臭剤，アルコール成分を揮発させる保存剤がある。更に，食品を包装する場合に，鮮度保持剤以外の付属物としては，醤油，ソース，辛子，ラー油，七味等の調味料や香辛料の入った小袋，包装物の内容を説明する小印刷物等がある。包装物が食品であると，鮮度維持剤をその食品と一緒に添えられた具や調味料又は香辛料と間違えて，直接口にしたり，或いは食品と一緒に加工又は調理をしたりして，誤食するおそれがある。
【０００３】
こうした誤食の可能性をなくするために，包装物を包装フィルムから形成される袋に包装するときに，付属物を包装フィルムの内面に，例えば，両面テープによって貼着することが行われている。そうした例の一つとして，食品の製袋充填に関して特開平１−１１１６０６号公報，特開平１−１３９３０３号公報に開示されているものがある。この公報に開示されているものは，複数個の別添袋を順次自動的に繰り出して，繰り出された別添袋の一面に両面粘着テープや接着剤又は粘着剤を塗着することによって接着剤層又は粘着剤層を形成し，製袋充填手段に移送される熱接着性のシート状包装材料の１袋分に相当する袋シール部以外の袋内面となる面に，接着剤層又は粘着剤層付き別添袋をその接着剤層又は粘着剤層を介して自動貼着して別添袋付きシート状包装材料を形成し，別添袋付きシート状包装材料を別添袋が内側に位置するように自動製袋し，製袋された袋に食品を充填しシールを行って包装している。包装袋から内部の食品を取り出しても，別添袋が包装袋内部に残ることにより，不可食薬剤の誤食が防止される。なお，この公報には製袋充填機として，正ピロー包装機が開示されている。
【０００４】
また，原反フィルムロールから繰り出される帯状の包装フィルムをフォーマに掛ける前に包装フィルムの端縁寄りで且つ横シールが行われる位置を外した位置に適宜の方法で接着した偏平な小袋を，小袋呑み込み口を通して製品落下筒内に入り込ませる縦型製袋充填包装方法が，特公平７−１１０６４９号公報に開示されている。小袋は，縦シール部分に一緒にシールすることで袋内後面に接着状態に収容されるので，開封したときにも小袋は包装袋内に残り，食品への混入や誤食のおそれがない。また，袋内の包装物を袋前面の透明部より見ようとするとき，小袋が邪魔にならず，包装物を目で見ることができる。
【０００５】
ところで，機台下方に配置した包装フィルムロールから繰り出した包装フィルムを案内ローラで反転させて水平方向に走行させ，その包装フィルム上に包装物を載置させて包装フィルムと共に走行させ，包装フィルムの左右から折り返した側縁同士を縦シールして筒状に成形すると共に，包装物の走行方向前後で横方向にシールして包装体を形成する逆ピロー包装機が知られている。この包装方式によれば，走行する包装フィルムの上に包装物を直接に載置させることができ，少量生産であっても衛生的に包装を行わせることができる。
【０００６】
逆ピロー包装において，付属物を包装フィルムに付着させるものとして，図８及び図９に示したものが考えられる。図８はフォーマを備えた逆ピロー包装機の正面図，図９は図８に示した逆ピロー包装機の側面図である。逆ピロー包装機４０は，案内ローラ４１と，案内ローラ４１に案内された帯状の包装フィルム４３を筒状に成形するためのフォーマ４２を備えている。包装物４７は，フォーマ４２内で筒状に成形される包装フィルム４３上に送り込まれる。帯状の包装フィルム４３は，逆ピロー包装機４０が案内ローラ４１とフォーマ４２とを備えているために，案内ローラ４１で案内された後に急激に帯状からＵ字状を経て筒状へと成形される。付属物４８は帯状の状態にあるときの包装フィルム４３に付着されるのが一般的であるが，包装フィルム４３が案内ローラ４１によって屈曲案内される時或いはフォーマ４２のエッジによって急激に折り返しされる時に，付属物４８が包装フィルム４３から剥がれる落ち易いという不具合がある。また，機台（図示せず）の下方には，包装フィルム４３を繰り出す原反フィルムロール（図示せず）やそれに関連する種々の機構（予備ロールや，日付け装置等，図示せず）を配置させているので，付属物４８を包装フィルム４３に付着させる機構を設置する十分なスペースを確保できないという不利もある。
【０００７】
一方，付属物４８の包装フィルム４３への付着を，フォーマ内で起立された包装フィルムの側部に対して行うことも考えられる。即ち，図８及び図９に示した例は，付属物４８を既に包装フィルム４３に付着させた例であるが，図８及び図９において，付属物４８をフォーマ４２内に供給してフォーマ４２内で包装フィルム４３に付着させる場合を考える。この場合，包装フィルム４３の両側部４５はフォーマ４２の両側壁部４４によって包装物４７の側方に沿うように起立され，両側部４５はフォーマ４２の側壁部４４に案内された状態となる。この起立した包装フィルム４３の側部４５の内面側に対して付属物４８を付着させようとすると，フォーマ４２内の包装フィルム４３上には包装物４７が既に載置されているので，包装フィルム４３の両側部４５の内側と包装物４７との間に付属物４８の送り込み機構を配置することになるが，そのような送り込み機構を配置させるための十分なスペースを確保することができない。
【０００８】
【発明が解決しようとする課題】
このように，包装フィルムを急激に折り返すフォーマを用いる逆ピロー包装においては，包装フィルムに付着させた付属物がフォーマのエッジを乗り越えるときに剥がれ易く，包装フィルムの上に直接に載置される包装物それ自体が付属物の供給を困難にしている。また，少量生産のため，付属物の供給は事実上手作業で行われている。以上の状況下では，現在のところ付属物の自動供給機構を備えたものは知られていない。しかしながら，逆ピロー包装機でも，近年次第に単位時間当たりの包装個数が増加しており，また衛生面での基準を確保しつつ付属物の供給を手作業で行うのは，コストが上昇する等の問題点も存在している。したがって，逆ピロー包装においては，低コストで且つ付属物を自動的に供給して付属物付きの包装体を製作することができることが求められるようになっている。
【０００９】
【課題を解決するための手段】
この発明の目的は，上記課題を解決することであり，逆ピロー包装においても，包装物の付属物を低コストで且つ包装フィルム上に的確に付着することができる逆ピロー包装方法及び逆ピロー包装機を提供することである。
【００１０】
上記の課題を解決するため，この発明は次のように構成されている。即ち，この発明は，機台の上面を横方向に走行する包装フィルム上に包装物を載置すると共に前記包装物の付属物を付着し，前記付属物が付着された前記包装フィルムを前記横方向の走行中に前記包装物の周りに筒状に形成し，前記包装フィルムの両側縁部に縦シールを施すと共に前記包装物間で前記包装フィルムに横シールを施すことにより，前記付属物を前記包装フィルムの内側に付着した状態で前記包装物を包装することから成る逆ピロー包装方法に関する。
【００１１】
また，この発明は，機台に回転自在に取り付けられ且つ前記機台の上面で包装フィルムを横方向に走行案内する案内ローラ，前記案内ローラの前記横方向の後流に配置されると共に前記包装フィルムの両側縁部を寄せ合わせることにより前記包装フィルム上に載置された包装物の周りに前記包装フィルムを筒状に形成する筒状フィルム成形手段，前記案内ローラの直上又は前記案内ローラと前記筒状フィルム成形手段との間において前記包装フィルム上に付属物を付着させる付属物付着手段，前記筒状フィルム成形手段の後流に配置されると共に筒状に形成された前記包装フィルムの前記両側縁部をシールする縦シール手段，及び前記縦シール手段の後流に配置されると共に前記包装物間で前記包装フィルムをシールする横シール手段から成る逆ピロー包装機に関する。
【００１２】
この逆ピロー包装方法又は逆ピロー包装機においては，付属物が機台の上面に平行で横方向に走行案内される包装フィルムに付着されてから，包装フィルムが筒状フィルムに形成される。包装フィルムが筒状フィルムに形成される前においては，案内ローラの直上を含めて包装フィルムには，機台の上面に平行に未だ筒状成形が開始されていない実質的に平坦な領域が形成される。そうした機台の上面を案内走行される包装フィルムの実質的に平坦な領域上に対しては，付属物を自然な姿勢で載せることができ，付着が確実に行われる。包装フィルムが筒状に形成された状態では，付属物は筒状フィルムの内部に位置し，縦シールと横シールとが施されると，付属物は包装体の内部に封入された状態となる。
【００１３】
また，この逆ピロー包装方法又は逆ピロー包装機において，付属物は，包装フィルム上における包装物の載置位置の側方に位置する包装フィルムの実質的に平坦で且つ袋包装体となったときに袋の内部の側面又は裏面に位置する領域に付着される。また，包装フィルムに載置される包装物の側方の領域であれば，包装体が作製された場合，付属物は包装体の側面又は裏面に位置することはあっても，前面に位置することはない。付属物を付着させるタイミング及び位置は，包装フィルム上に既に載置された包装物の側方としてもよく，未だ包装物は載置されていないが後で載置される包装物の側方となるべき載置位置であってもよい。更に，包装物が載置されるのと同時に付属物を包装物の載置位置の側方の包装フィルム上に付着させてもよい。
【００１４】
また，この逆ピロー包装方法又は逆ピロー包装機において，付属物は，接着又は粘着によって前記包装フィルムに付着されることから成る。付属物の表面には，片状に切断した両面接着テープや両面粘着テープを予め貼り付けたり，接着剤や粘着剤を塗布することにより，予め付着部分を形成しておくのが好ましい。付属物付着手段は，付属物の付着部分を前記包装フィルムに付着させることで，付属物を包装フィルムに付着させる。
【００１５】
この逆ピロー包装機において，前記付属物付着手段は，付着部分が設けられてた付属物を，付着部分が設けられた表面を下方に向けた状態で付属物を包装フィルム上に供給するシュートとされる。付属物がシュートを滑り下りて包装フィルムと衝突したときに，付着部分が自ずと包装フィルムに付着し，付属物が包装フィルムに付着することになる。
【００１６】
また，この逆ピロー包装機において，前記付属物付着手段は付属物を案内ローラの直上の包装フィルム上に供給し，前記付属物付着手段は，更に，案内ローラに対して付属物を包装フィルムに押し付ける押さえローラを有している。案内ローラ上の包装フィルムは，筒状に成形される前であって，包装フィルムの幅方向で見て実質的に平坦な領域に含まれる。付属物付着手段は付属物を案内ローラの直上の包装フィルム上に供給するように配置されており，付属物付着手段によって包装フィルム上に供給された付属物は，押さえローラと案内ローラとの間で包装フィルムと共に挟み込まれて包装フィルム上に押し付けられ，包装フィルムに対して確実に付着される。
【００１７】
また，この逆ピロー包装機において，案内ローラと筒状フィルム成形手段との間において，包装フィルムに載置された状態で搬送される包装物の側方には，包装フィルムの走行を案内するガイド板が配置され，包装フィルムの実質的に平坦な領域がガイド板上を走行する包装フィルムに形成されている。包装フィルムはガイド板の板面に沿って走行し，板面で規制されて実質的な平面となり付着可能なが領域が拡大しているので，そうした実質的な平面状の包装フィルムに対して付属物を付着させることが容易になる。
【００１８】
また，この逆ピロー包装機において，ガイド板は，案内ローラから筒状フィルム成形手段に向かって高さが高くなる傾斜面を備えている。包装フィルムは平坦な帯状フィルムから次第に筒状のフィルムに形成されるので，帯状の包装フィルムの両側縁部は次第に起立していくが，ガイド板が筒状フィルム成形手段に向かって高さが漸増する傾斜面を備えているので，ガイド板上の包装フィルムを緊張した実質的な平面状態に保持することができる。
【００１９】
【発明の実施の形態】
以下，添付図面を参照しつつ，この発明による付属物を包装フィルム上に付着させることができる逆ピロー包装機の一実施例を説明する。図１は，この発明による逆ピロー包装機の一実施例を示す側面図，図２は，図１に示す逆ピロー包装機の一部平面図である。
【００２０】
図１に示すように，逆ピロー包装機１においては，原反フィルムロール２から，適宜の繰出し手段によって繰り出された包装フィルム３は，機台４の一端に回転自在に取り付けられた案内ローラ５によって反転されて，機台３の上面６と平行に走行する。包装物７は，水平方向に走行する包装フィルム３の上面に予め決められた間隔で載せられる。包装物７は，作業者の手作業によって直接に包装フィルム３の上面に載置されるか，又は図１の左方に配置された搬入コンベヤ（図示せず）によって自動的に予め決められた間隔で送り込まれる。
【００２１】
案内ローラ５によって水平方向に反転された包装フィルム３は，案内ローラ５の後流で機台４の上面６の上方に配置された筒状フィルム成形手段８によって搬送される。筒状フィルム成形手段８は，互いに逆方向に回転する一対の移送ローラ９から成るのでフィルム走行手段としての機能も有している。包装フィルム３の両側縁部１２は，移送ローラ９によって互いに寄せ合わされて一対の移送ローラ９間で挟まれた状態となる。移送ローラ９によって，包装フィルム３は，帯状から筒状に形成されると共に，移送ローラ９の回転によって図１の左方から右方に連続的に引き出される。なお，筒状フィルム成形手段８は，移送ローラ９の型式のみならず，例えば，包装フィルム３の側縁部１２を複数の把持具によって把持し，把持具で把持しつつ移動中に次第に寄せ合わせる構造のものでもよい。
【００２２】
筒状フィルム成形手段８の後流には，一対の移送ローラ９によって挟まれた状態で送られる包装フィルム３の両側縁部１２をシールする縦シール手段１０が設けられている。縦シール手段１０は，互いに逆方向に回転する一対の縦シールローラ１１から成る。縦シールローラ１１は，縦軸回りに回転する加熱ローラであり，包装フィルム３の両側縁部１２を合掌状に挟み，この挟み込んだ両側縁部１２の合わせ面を溶着してシールする。縦シール手段１０の更に後流には，横シール手段１３が配置されている。横シール手段１３は，筒状に成形された包装フィルム３の上下で横軸回りに回転して包装フィルム３を挟み込む一対の加熱体１４であり，包装フィルム３を１つの包装体１５に相当する長さ毎に溶着して横シールを施す。加熱体１４には，包装体１５毎に切断する切断刃又は溶断刃（図示せず）を設けてもよい。作製された包装体１５は，コンベヤ１６によって搬送される。筒状フィルム成形手段８，縦シール手段１０及び横シール手段１３は，図示した例では連続回転するものであるが，ボックスモーション等の間欠作動をする機構としてもよい。横シール手段１３は結束等の他の封緘手段であってもよい。
【００２３】
各包装体１５の内部には，包装物７の付属物１７が封入される。付属物１７を包装フィルム３上に供給する付属物供給機構１９は，機台４に支えられたフレーム（図示せず）に備え付けられており，付属物１７は，列状に繋がった付属物を巻き取ったロール２０の型式で蓄えられている。ロール２０から適宜の手段によって繰り出された付属物１７の列には，その一方の表面に付着部材としての両面接着又は両面粘着テープ２１が貼り付けられ，両面接着又は両面粘着テープ２１を付属物１７に貼着した後に生じる剥離ライナ２２は別のロールによって回収される。付属物１７の列は，切断刃を備えた切断手段２３によって個々の付属物１７に切断され、個々の付属物１７がシュート２４によって包装フィルム３上に落とされる。シュート２４は，両面接着又は両面粘着テープ２１の接着面又は粘着面がシュート２４の投下面に付着しないように，両面接着又は両面粘着テープ２１の幅より充分広い溝２５を有している。シュート２４からの付属物１７の投下間隔は，包装フィルム３上への包装物７の載置間隔と合わされる。
【００２４】
機台４との関係で付属物１７を包装フィルム３に付着させる位置は，包装フィルム３が案内ローラ５で反転されてから，筒状フィルム成形手段８によって包装フィルム３の両側縁部１２が引き寄せられるまでの包装フィルム３が平坦さを維持している領域１８内とされる。この領域１８は，包装フィルム３が案内ローラ５で反転されて，側縁部１２が引き寄せが実質的に開始する前の領域とするのが好ましい。付属物１７は，両面接着テープ２１が取り付けられた面を下に向けた姿勢でシュート２４を降下し，包装フィルム３に衝突した勢いで付属物１７は包装フィルム３の領域１８に付着する。
【００２５】
次に，図３及び図４を参照して，この発明による逆ピロー包装機の別の実施例を説明する。図３はこの発明による逆ピロー包装機の別の実施例の一部を示す側面図，図４は図３に示した逆ピロー包装機の平面図である。図１及び図２に示された構成要素及び部位と同様の機能を有するものには同じ符号を付してあり，重複する説明を省略する。図４に示すように，案内ローラ５の直上の領域２９も，包装フィルム３の筒状成形が未だ開始されていない領域の一部であるから，付属物１７の付着を行う領域１８に含めることができる。
【００２６】
図３及び図４に示した逆ピロー包装機１Ａでは，シュート２４は，付属物１７を，包装物７の載置（予定）位置Ｐの側方に位置する案内ローラ５の直上，即ち，最上点付近の領域２９（包装体において付属物１７の付着位置が袋の表裏を問わないときは，幅方向に広く取ることができる）において，包装フィルム３上に供給するように配置されている。シュート２４の直後には，付属物１７と包装フィルム３とを案内ローラ５との間で挟む押さえローラ２６が配置されている。押さえローラ２６は，付属物１７の厚みを考慮して案内ローラ５と対向する位置に配置される。図３に示すように，押さえローラ２６の軸受を押さえばね２８を介して支持体２７に支持すると，押さえローラ２６は案内ローラ５に対して進退可能に支持される。また，押さえローラ２６は，過大な力を付属物１７や包装フィルム３に与えないように，弾性体で構成してもよい。押さえローラ２６を弾性体で構成する場合には，押さえローラ２６の回転軸を支持体２７に対して一定位置に保持することができる。押さえローラ２６は，シュート２４で供給されて包装フィルム３上に載置された状態の付属物１７を案内ローラ５を背後に置いて包装フィルム３に対して押さえ付ける。その結果，付属物１７に設けられていた付着部材は，包装フィルム３に確実に付着される。
【００２７】
上記のように，付属物１７を包装フィルム３に付着させる位置を，案内ローラ５で反転されて横方向に走行する包装フィルム３上であって，案内ローラ５の直上から包装フィルムの走行方向に延びる実質的に平坦さを維持している領域１８，２９としたので，案内ローラ５で反転させられる前の包装フィルム３に付属物を付着した場合のように，付属物が，案内ローラ５で反転されるときに包装フィルム３から剥がれるというような不具合もない。
【００２８】
包装物７との関係で，付属物１７を包装フィルム３に付着させる位置については，次のようになる。即ち，機台４の上面６上を水平方向に走行している包装フィルム３のうち包装物７を載せる幅方向中央の領域は，既に包装物７が載置されている或いは将来包装物７が載置されるので，包装フィルム３に透明部分が無い場合，或いは付属物１７が表側から見えても差し支えない場合には，付属物１７を付着させることができる。包装体１５の長さに余裕があるときには，包装物７と重ならない領域を付属物１７の付着領域とすることもできる。包装フィルム３上に載置された包装物７の側方の包装フィルム３の走行方向に延びる帯域は，包装体となったときに包装物７の裏側を覆う部分となるので好ましい付属物１７の付着領域であるが，包装物７を包むこととなる包装フィルム３の部分に確実に付着させるには，包装物７の真横の範囲内に付着するのが好ましい。付属物１７を付着させるタイミングは，包装物７が包装フィルム３上に載置される前，又は後，或いは同時であってもよい。また，付属物１７をシーラで挟み込むと，シーラが破損する虞があると共に不良包装体が発生するので，付属物の包装フィルムへの付着位置として，縦及び横のシールが施される部分は外されるが，付属物が袋包装体である等，付属物１７にシールで挟み込まれても支障がない部分がある場合には，その支障のない部分をシーラで挟み込む等，包装フィルム３と一緒にシールすることは可能である。
【００２９】
図１０は，この発明による逆ピロー包装によって作製された包装体１５を示す斜視図である。付属物１７を包装フィルム３の領域１８において付着すると，包装体１５が作製されたときには，図１０に示すように，付属物１７は，包装体１５の裏面側，即ち，縦シールが施されて背貼りとなった縦シール部分３５が見える側に位置する。また，縦シール部分３５と交差するように，横シール手段１３によって横シール部分３６が形成されている。包装フィルム３は，デザイン，商品名，商品の内容等に関して印刷が施されていることが多いが，包装フィルム３を通して内部の包装物７を目視することができるように，包装フィルム３の一部を透明にしておくことも普通に採用されている。付属物１７が包装体１５の裏面側で包装フィルム３の内側に付着されていれば付属物１７が包装体１５の中で移動することがなく，透明な部分がある包装フィルムを用いても，包装体１５が商品として店頭で陳列された状態で付属物１７が包装体１５の表面側の特に包装フィルム３の透明部分に位置に来ることがない。したがって，消費者は，付属物１７のために包装フィルム３を通して包装物７を目視できなくなることがない。
【００３０】
図５〜図７には，この発明による逆ピロー包装機の更に別の実施例が示されている。図５は，この発明による逆ピロー包装機の他の実施例を示す側面図，図６は図５に示す逆ピロー包装機の平面図，図７は図５及び図６の矢視Ａ−Ａで見た断面図である。図５〜図７に示す構成要素及び部位のうち，図１及び図２に示したものと同じ機能を有する構成要素及び同じ部位については，同じ符号を付すことによって重複する説明を省略する。
【００３１】
図５〜図７に示した逆ピロー包装機１Ｂは，包装フィルム３の両側，即ち，包装物７が載置される側方の領域に対応して，包装フィルム３の走行ガイドを設けた点で，図１及び図２に示した実施例と異なる。走行ガイドは，包装フィルム３の走行方向に高さを増すように傾斜する傾斜面３１を有する一対のガイド板３０から成っている。ガイド板３０は，案内ローラ５の直後の位置から包装フィルム３が立ち上がるまでの包装フィルム３の走行を案内し，ガイド板３０上の包装フィルム３の領域３２を下面から支えており，包装フィルム３に若干の張りを与えている。その結果，ガイド板３０の傾斜面３１に支えられて走行する包装フィルム３は皺や波打ちを生じることがなく，一層広い平坦な領域３２が確保される。付属物１７は，このような平坦さが維持された領域３２において，包装フィルム３上に投下されるので，付属物１７は両面接着テープ又は両面粘着テープ等の付着層を介して包装フィルム３に確実に付着される。なお，図示した例では，各ガイド板３０は包装フィルム３の走行方向に対して斜めに配置されているが，両ガイド板３０を包装物７が送られる帯域の両側に平行に配置することもできる。
【００３２】
図１及び図２，図３及び図４，並びに図５〜図７に示した各実施例の逆ピロー包装機１，１Ａ，１Ｂにおいては，付属物１７の供給機構１９はシュート２４を備えているものとしたが，シュート２４に限らず，例えば，予め個々の付属物１７に切断して用意したものを，個別に吸着パッド等の把持具によって包装フィルム３の載置すべき場所の直上にまで個別に所定のタイミングによって供給し，付属物１７を落下させて付着させてもよく，また吸着パッドで付属物１７を軽く包装フィルム３上に押して圧着するように付着させてもよい。
【００３３】
【発明の効果】
この発明は，上記のように構成されているので，次のような効果を奏する。即ち，この発明による逆ピロー包装方法及び逆ピロー包装機においては，包装フィルムに急激な進行方向転換をさせるフォーマが用いられていないため，包装フィルムが筒状フィルムに形成される前に付属物は機台の上面に平行で横方向に走行案内される包装フィルムに載せることができる実質的に平坦な領域を確保することができる。しかも，その平坦な領域は，案内ローラの直上から横方向に走行する包装フィルムに延びる面内にあり，その領域に供給された付属物は包装フィルムに対して容易に且つ確実に付着させることができる。包装フィルムが筒状に形成された状態では，付属物は筒状フィルムの内部に位置し，縦シールと横シールとが施された時には，付属物は包装体の内部の側面又は裏面に封入された状態となる。付属物は包装フィルム上における包装物の載置位置の側方に位置する実質的に平坦な領域に付着されるので，包装体が製造されたときに，付属物は包装体の側面又は裏面に位置することはあっても，袋の内部でありながら前面に位置することがないので，透明な包装フィルムを用いる場合に付属物が商品の目視を遮ることもない。
【図面の簡単な説明】
【図１】この発明による逆ピロー包装機の一実施例を示す側面図である。
【図２】図１に示す逆ピロー包装機の一部を示す平面図である。
【図３】この発明による逆ピロー包装機の別の実施例の一部を示す側面図である。
【図４】図３に示す逆ピロー包装機の一部を示す平面図である。
【図５】この発明による逆ピロー包装機に他の実施例を示す側面図である。
【図６】図５に示す逆ピロー包装機の平面図である。
【図７】図５及び図６の矢視Ａ−Ａで見た断面図である。
【図８】フォーマを備えた逆ピロー包装機の正面図である。
【図９】図８に示した逆ピロー包装機の側面図である。
【図１０】ピロー包装によって作製された袋包装体の斜視図である。
【符号の説明】
１，１Ａ，１Ｂ  逆ピロー包装機
３    包装フィルム
４    機台
５    案内ローラ
７    包装物
８    筒状フィルム成形手段
９    移送ローラ
１０  縦シール手段
１２  側縁部
１３  横シール手段
１５  包装体
１７  付属物
１８，２９，３２  実質的に平坦な領域
１９  付属物供給機構
２１  両面接着テープ又は両面粘着テープ
２４  シュート
２６  押さえローラ
３０  ガイド板
３１  傾斜面
【図１】
0003990778.tif 000002
【図２】
0003990778.tif 000003
【図３】
0003990778.tif 000004
【図４】
0003990778.tif 000005
【図５】
0003990778.tif 000006
【図６】
0003990778.tif 000007
【図７】
0003990778.tif 000008
【図８】
0003990778.tif 000009
【図９】
0003990778.tif 000010
【図１０】
0003990778.tif 000011